(57)【要約】【課題】  チャンネルの再スキャンに係るユーザの負担を軽減するとともに、放送受信装置が電源オフ状態のときの電力消費を抑制して最新のチャンネルリストを更新することが可能な技術を提供する。【解決手段】  本発明に係るデジタル放送受信装置は、デジタル放送信号を受信する第１のチューナ(102)及び第２のチューナ(103)と、チャンネルスキャンを行うための制御回路(114)とを備えている。そして制御回路は、デジタル放送信号受信装置の電源がオン状態において、受信されたデジタル放送信号から、放送局が開局、閉局、あるいは周波数が変更されるチャンネル変更日時を示すスケジュール情報を取得し、現在日時が取得されたチャンネル情報が示す変更日時を経過した場合に、第１及び第２のチューナのうち遊休状態のチューナを用いてチャンネルスキャンを行う。【選択図】  図１
2011124816.tif 000002
【特許請求の範囲】
【請求項１】
デジタル放送信号を受信可能なチャンネルをスキャンしてチャンネルリスト作成し、該チャンネルリストを用いてチャンネルの選局を行うように構成されたデジタル放送信号受信装置において、
前記デジタル放送信号を受信するための第１のチューナ及び第２のチューナと、前記スキャンを行うための制御回路とを備え、
前記制御回路は、前記デジタル放送信号受信装置の電源がオン状態において、第１及び第２のチューナのうちいずれか使用されていない方のチューナを用いて前記スキャンを行うことを特徴とするデジタル放送信号受信装置。
【請求項２】
請求項１に記載のデジタル放送信号受信装置において、
前記デジタル放送信号は、放送局が開局、閉局、あるいは周波数が変更されるチャンネル変更日時を示すスケジュール情報を含み、
前記制御回路は、前記チューナで受信されたデジタル放送信号から前記スケジュール情報を取得し、現在の日時が前記取得されたスケジュール情報が示す前記変更日時を経過した場合に前記スキャンを実行すること特徴とするデジタル放送信号受信装置。
【請求項３】
請求項１に記載のデジタル放送信号受信装置において、
前記デジタル放送信号はチャンネル情報を含み、
前記チューナで受信されたデジタル放送信号に含まれる前記チャンネル情報が情報記憶部に記憶され、
前記制御回路は、前記チューナで受信されたデジタル放送信号から前記チャンネル情報を取得し、該取得したチャンネル情報と前記情報記憶部に保持されたチャンネル情報とが異なる場合に前記スキャンを実行すること特徴とするデジタル放送信号受信装置。
【請求項４】
請求項１に記載のデジタル放送信号受信装置において、
前記制御回路は、現在の日時がユーザにより設定された日時を経過した場合に前記スキャンを実行すること特徴とするデジタル放送信号受信装置。
【請求項５】
請求項１乃至４のいずれかに記載のデジタル放送信号受信装置において、
前記制御回路は、前記使用されていない方のチューナで前記スキャンを実行している間は、当該チューナが使用できない旨のメッセージを画面上に表示させること特徴とするデジタル放送信号受信装置。
【発明の詳細な説明】
【技術分野】
【０００１】
本発明は、デジタル放送を受信するデジタル放送受信装置に係り、特に、チャンネルリストの更新に関するものである。
【背景技術】
【０００２】
デジタル放送受信装置では、受信可能なすべてのチャンネルを視聴するために、ユーザがデジタル放送受信装置の初回電源投入時に、放送されているすべてのチャンネルについて受信可能かを検査確認するスキャンを行う（初期スキャン）。そしてデジタル放送受信装置は、該スキャンにより得られた受信可能なチャンネルのリスト（以下、このリストを「チャンネルリスト」と呼ぶこととする）を作成し記憶する。この記憶されたチャンネルリストに基づきチャンネルの選局を行う。上記初期スキャン後に、新規に放送局が開局、既存の放送局が閉局、あるいは既存の放送局の周波数が変更された場合、ユーザが再度すべてのチャンネルについてスキャン（再スキャン）を行い、前記デジタル放送受信装置に記憶されているチャンネルリストを更新する必要がある。
【０００３】
上記のように放送局の開局や閉局または周波数の変更の度にユーザの手動操作により上記再スキャンを行うとユーザへの負担が大きくなる。かかる負担を軽減するために、自動的にチャンネルの再スキャンを行う従来技術としては、例えば特許文献１に記載のものが知られている。特許文献１には、デジタル放送受信装置の電源がオフ状態であるときに所定周期で自動的にチャンネルの再スキャンを行い、旧チャンネルリストと照合してその差分をチャンネル更新情報として記憶し、次にデジタル放送受信装置の電源がオン状態になったときにチャンネルリストの更新処理を行うことが開示されている。
【先行技術文献】
【特許文献】
【０００４】
【特許文献１】特開２００７−４３４０８号公報
【発明の概要】
【発明が解決しようとする課題】
【０００５】
上記特許文献１の技術によれば、ユーザが手動操作により、チャンネルスキャンを行う必要がなく、最新のチャンネルリストを取得することが可能である。
【０００６】
しかしながら、この従来技術では、放送受信装置が電源オフ状態のときにチャンネルの再スキャンを行うために、当該放送受信装置のほとんどの電気回路（例えばチューナ、デコーダ、マイコン、電源回路等）を起動させなければならず、電源オン状態に近い電力を消費するという問題がある。環境への負荷を考慮すると、電源オフ状態では、最小限の電力消費であることが望ましい。
【０００７】
また、上記再スキャンは所定時間ごとに実行されるため、本来再スキャンの必要のない（放送局が開局、閉局、あるいは周波数の変更がない）場合も実行されてしまい、さらに消費電力が増大してしまう。
【０００８】
本発明は、上記課題に鑑みて為されたものであって、その目的は、チャンネルの再スキャンに係るユーザの負担を軽減するとともに、放送受信装置が電源オフ状態のときの電力消費を抑制して最新のチャンネルリストを更新することが可能な技術を提供することにある。  
【課題を解決するための手段】
【０００９】
上記目的を達成するために、本発明は、デジタル放送信号受信装置の電源がオン状態において、複数のチューナのうちいずれか使用されていない方のチューナを用いて再スキャンを行うことを特徴とする。
【００１０】
好ましくは、受信されたデジタル放送信号から、放送局が開局、閉局、あるいは周波数が変更されるチャンネル変更日時を示すスケジュール情報を取得し、現在の日時が取得したスケジュール情報が示す変更日時を経過した場合に上記再スキャンスを実行する。
【００１１】
また、受信されたデジタル放送信号に含まれる前記チャンネル情報が情報記憶部に保持しておき、受信されたデジタル放送信号のチャンネル情報と情報記憶部に保持されたチャンネル情報とが異なる場合に上記再スキャンスを実行するようにしてもよい。更にまた、現在の日時がユーザにより設定された日時を経過した場合に上記再スキャンスを実行するようにしてもよい。
【発明の効果】
【００１２】
本発明によれば、チャンネルの再スキャンに係るユーザの負担を軽減することができ、更に、放送受信装置が電源オフ状態のときの電力消費を抑制することが可能となる。
【図面の簡単な説明】
【００１３】
【図１】本発明における第１の実施例に係るデジタル放送受信装置の一構成例を示す図。
【図２】本発明の第１の実施例に係るチャンネルの再スキャンの処理を示す図
【図３】本発明の第２の実施例に係るチャンネルの再スキャンの処理を示す図
【図４】本発明の第３の実施例に係るチャンネルの再スキャンの処理を示す図
【発明を実施するための形態】
【００１４】
以下、本発明の実施形態について、図面を参照しつつ説明する。
【実施例１】
【００１５】
図１は本発明の第１の実施例に係るデジタル放送受信装置の一構成例を示す図である。本実施例に係るデジタル放送受信装置１００は、デジタル放送受信用アンテナ１０１と、デジタル放送受信用のチューナＡ１０２１及びチューナＢ１０３と、放送信号処理部Ａ１０４及び放送信号処理部Ｂ１０７と、映像処理部Ａ１０５及び映像処理部Ｂ１０８と、音声処理部Ａ１０６及び音声処理部Ｂ１０９と、映像表示部１１０と、音声出力部１１１と、放送記録部１１２と、情報記憶部１１３と、制御回路としてのＣＰＵ１１４をハードウェアとして備えている。上記のように、本実施例に係るデジタル放送受信装置１００は少なくとも２系統の放送信号処理システムを備えており、図１では第１の放送信号処理システムをＡとし、第２の放送信号処理システムをＢとする。
【００１６】
最初に第１の放送信号処理システムについて説明する。チューナＡ１０２は、所望チャンネルの符号化デジタル放送信号をデジタル放送受信用アンテナ１０１から受信し、受信した放送信号を復調して放送信号処理部Ａ１０４で処理が可能な映像・音声データを出力する。
【００１７】
放送信号処理部Ａ１０４は、符号化デジタル放送信号を復号するためのデコーダを含んでおり、前記チューナＡ１０２から出力された映像・音声データを復号し、映像データと音声データに分離して映像データを映像処理部Ａ１０５、音声データを音声処理部Ａ１０６にそれぞれ出力する。
【００１８】
映像処理部Ａ１０５は、前記放送信号処理部Ａ１０４から得られた復号映像データを映像表示部１１０が表示可能な映像データに変換するための処理（例えば画素数変換、フレーム周波数変換、インターレース／プログレッシブ走査変換処理など）を行い、また必要に応じコントラスト補正や色補正をして映像表示部１１０に出力する。
【００１９】
また、音声処理部Ａ１０６は、前記放送信号処理部Ａ１０４から得られた復号音声データから音声信号を生成し、音声出力部１１１へ出力する。
【００２０】
映像表示部１１０は、図示しない表示パネル、パネル制御回路及びパネル制御ドライバなどから構成され、前記映像処理部Ａ１０５から得られた映像データに基づき映像を表示する。表示パネルとしては、例えば液晶パネルやＰＤＰパネルなどが用いられる。
【００２１】
音声出力部１１１は、スピーカ、スピーカ制御回路及びスピーカ制御ドライバなどから構成され、前記音声処理部Ａ１０６から得られた音声信号に基づき音声を出力する。これらの動作は、ＣＰＵ１１４にて制御される。
【００２２】
次に第２の放送信号処理システムについて説明する。所望チャンネルの放送信号をデジタル放送受信用アンテナ１１５にて受信し、チューナＢ１０３、放送信号処理部Ｂ１０７、映像処理部Ｂ１０８、音声処理部Ｂ１０９にて処理され、映像表示部１１０に映像を表示し、音声出力部１１１より音声を出力する。それぞれの処理、動作については、上述した第１の放送信号処理システムと同様であり、詳細な説明は省略する。
【００２３】
放送記録部１１２は、例えば、ハードディスクやフラッシュメモリ等から構成され、放送信号処理部Ａ１０４あるいは放送信号処理部Ｂ１０７で処理された放送データを記録する。情報記憶部１１３は、例えば書換え可能なフラッシュメモリで構成され、チャンネルリストや送出スケジュール情報等を記憶する。
【００２４】
ＣＰＵ１１４は、ソフトウェアの処理モジュールとして、デジタル放送データ取得部１１５と、チューナ管理部１１６と、チャンネルスキャン制御部１１７とを有している。デジタル放送データ取得部１１５は、放送信号処理部Ａ１０４および放送信号処理部Ｂ１０７にて処理された放送データから、例えばＳＤＴＴ(Ｓｏｆｔｗａｒｅ  Ｄｏｗｎｌｏａｄ  Ｔｒｉｇｇｅｒ  Ｔａｂｌｅ)、ＰＡＴ（Ｐｒｏｇｒａｍ  Ａｓｓｏｃｉａｔｉｏｎ Ｔａｂｌｅ）、ＮＩＴ（Ｎｅｔｗｏｒｋ  Ｉｎｆｏｒｍａｔｉｏｎ  Ｔａｂｌｅ）などを取得する。ＳＤＴＴには、放送局等の変更日時（チャンネル変更日時）である送出スケジュール情報が含まれている。チューナ管理部１１６は、チューナＡ１０２およびチューナＢ１０３の制御や使用状態の管理を行う。チャンネルスキャン制御部１１７は、チューナ管理部１１６を制御し、放送されているすべてのチャンネルについて受信可能かを検査確認するスキャンを行う。  
図２は、上記の構成のデジタル放送受信装置において、チャンネルの再スキャンを行う場合の処理を示す図である。ここで、チャンネルのスキャンとは、前記したように全てのチャンネル（ある周波数からある周波数の範囲）において放送信号が受信可能か、すなわち既定の放送信号があるか否かを例えばチャンネル１から受信可能な最大チャンネル番号まで順に検査確認することである。この再スキャンの前には、上述した初期スキャンは既に完了されているものとする。また、放送信号があるか否かの判別は、ＣＰＵ１１４において、各チャンネルにおいて受信した放送信号の電界強度がある閾値を越えているか否か、すなわちＣ／Ｎ（Ｃａｒｒｉｅｒ  ｔｏ  Ｎｏｉｓｅ  ｒａｔｉｏ）を検出し、これがと閾値とを比較することにより行われる。尚、以下では再スキャン処理の各ステップを「Ｓ」と略す。
【００２５】
本実施例に係る再スキャンを行うための処理は、デジタル放送受信装置１００が電源オンの状態の場合に実行される。従って、まずはデジタル放送受信装置１００が電源ＯＮ状態か否かを判別し、ＯＮ状態であれば処理を開始する（Ｓ１０）。続いて、Ｓ１１において、デジタル放送データ取得部１１５がチューナＡ１０２あるいはチューナＢ１０３により受信した放送信号から送出スケジュール情報を受信したか判断する。前述したように放送局が開局、閉局、あるいは周波数が変更される場合、そのチャンネルの変更日時が送出スケジュール情報として放送局側から送信される。
【００２６】
Ｓ１１にて送出スケジュール情報を受信したと判断した場合、Ｓ１２へ移行する。Ｓ１１にて送出スケジュール情報を受信していないと判断した場合は、再度Ｓ１１に戻る。
【００２７】
Ｓ１２において、デジタル放送データ取得部１１５が放送信号処理部Ａ１０４あるいは放送信号処理部Ｂ１０５により放送信号から前記送出スケジュール情報を取得する。ここで、Ｓ１２で前記送出スケジュール情報を取得するために使用される放送信号処理部は、現在動作中のチューナに対応する放送信号処理部とする。例えばチューナＡ１０２が現在番組を視聴中で動作中の場合は、これに対応する放送信号処理部Ａ１０４から前記送出スケジュール情報を取得する。
【００２８】
Ｓ１３では、Ｓ１２で取得した前記送出スケジュール情報をメモリである情報記憶部１１３へ記憶する。次に、Ｓ１４では、例えばＣＰＵ１１４内の図示しないタイマにより計時された現在の日時がＳ１３にて記憶した前記送出スケジュール情報の変更日時を経過したかをＣＰＵ１１４が判断し、現在日時が送出スケジュール情報の変更日時を経過した場合Ｓ１５に移行する。経過していない場合は、再度Ｓ１４に戻る。
【００２９】
Ｓ１５では、チャンネルスキャン制御部１１７がチューナ管理部１１６からユーザが視聴あるいは録画等に使用していない遊休状態のチューナに関する情報を取得し、遊休状態のチューナの有無とそれがどのチューナであるのかを判定する。遊休状態のチューナがあれば、その遊休状態のチューナを用いて、チャンネルスキャン管理部によりバックグラウンドでチャンネルのスキャンを行うためのＳ１６〜Ｓ１８のプロセスに移る。例えば、チューナＢ１０３が番組視聴のために使用され、チューナＡ１０２が遊休状態の場合は、チャンネルスキャン制御部１１７はチューナＡ１０２を使用して、チャンネルスキャン（再スキャン）を実行する。
【００３０】
ここで、遊休状態のチューナの有無は、例えば各チューナ（チューナＡ１０２、チューナＢ１０３）に供給される電源電圧のレベル及び／またはチューナから出力される信号のレベルを検出することにより判定することができる。かかる検出はチューナ管理部１１６により行われ、この検出結果を上記遊休状態のチューナに関する情報としてチャンネルスキャン制御部１１７へ送る。そしてチャンネルスキャン制御部１１７は、例えば、チューナＡ１０２の電源電圧がＬｏｗレベル（例えば０Ｖ）でチューナＢ１０３の電源圧がＨｉｇｈレベル（例えば５Ｖ）である場合はチューナＡ１０２が遊休状態のチューナであると判定する。いずれのチューナの電源電圧がＨｉｇｈレベルの場合は、遊休状態のチューナが無いと判定する。
【００３１】
次に、Ｓ１７において、Ｓ１６の再スキャンで取得した最新のチャンネルリストを情報記憶部１１３へ記憶し、Ｓ１８に進んで本処理を終了する。なお、Ｓ１５にて遊休状態のチューナがない場合は、Ｓ１４に戻る。このチャンネルリストは、これ以降のユーザによるチャンネルの選局に使用される。
【００３２】
上記のように本実施例に係る再スキャン処理は、自動で実行されるため、ユーザの手動操作によるチャンネルの再スキャンといった負担作業も不要である。また、周波数リスト変更情報の送出スケジュール情報を受信し、その変更日時を経過した場合に、自動で再スキャンが実行されるため、好適なタイミングで最新のチャンネルリストを取得できる。また、本処理は、ユーザが番組の視聴あるいは録画などを行っているデジタル放送受信装置の電源オン状態時に、２つのチューナのうち受信動作をしていない（すなわち遊休状態の）チューナを使用して再スキャンを行うため、視聴や録画を妨げることなく、再スキャンを行うことによる消費電力の増加はほとんどない。
【００３３】
尚、上記では２つのチューナを有するデジタル放送受信装置を例にして説明したが、当然チューナを３つ以上備えたデジタル放送受信装置でも同様に適用できる。また、遊休状態のチューナを用いて再スキャンを行っている間は当該チューナを用いた番組視聴や録画ができないため、そのチューナを使用できない旨を表すメッセージをＣＰＵ１１４により生成して映像表示部１１０に表示するようにしてもよい。更にまた、電源ＯＮと同時に２つのチューナの両方を使用する場合は少ないことを考慮し、例えばデジタル放送受信装置の電源ＯＦＦ状態のときに一方のチューナのみ動作させて送出スケジュール情報を取得して記憶しておき、電源ＯＮと同時に一方のチューナを用いて再スキャン動作をするようにしてもよい。
【実施例２】
【００３４】
次に、本発明に第２の実施例について説明する。第２の実施例は、送出スケジュール情報ではなく、あるチャンネルを視聴中に放送信号から取得できるチャンネル情報を利用して再スキャンを行うようにすることを特徴としている。
【００３５】
最初に、チャンネル情報について詳細に説明する。チャンネル情報とはＮＩＴ、ＳＤＴ（Ｓｅｒｖｉｃｅ Ｄｅｓｃｒｉｐｔｏｒ Ｔａｂｌｅ）等に含まれる情報である。ＮＩＴは、その内容の変更の有無に関わらず、放送信号として周期的に送出されている。このＮＩＴには、視聴中のチャンネルを含む編成チャンネルのリスト、あるいは、各編成チャンネルを送っている伝送チャンネルの周波数情報などの物理的情報が含まれている。この情報に変更があった場合、その変更に応じてＮＩＴの内容も更新される。したがって、視聴中のチャンネルの情報が変更されていなくても、視聴中のチャンネルと同一の編成チャンネルにある他のチャンネル情報が変更されれば、ＮＩＴは更新されることになる。
【００３６】
また、ＳＤＴもＮＩＴ同様に、放送信号として周期的に送出される。ＳＤＴは、放送事業者名あるいはチャンネル名に変更があった場合、その変更に応じて内容が更新されたＳＤＴが送出される。
【００３７】
なお、上記したＮＩＴ，ＳＤＴ等のチャンネル情報は、チャンネルスキャンしたのみでは取得することが出来ない。このため、第２の実施例では、チューナＡ１０２またはチューナＢ１０３にて所望チャンネルの放送信号を受信し、放送信号処理部Ａ１０４または放送信号処理部Ｂ１０７にて処理を行った後に上記チャンネル情報を取得するようにしている。また、第２の実施例に係るデジタル放送受信装置においては、取得したチャンネル情報を情報記憶部１１３に記憶することとする。
【００３８】
図３は、第２の実施例に係るデジタル放送受信装置の再スキャンの処理を示すフローチャートである。第１の実施例と異なる部分は、チャンネルの再スキャンを実行するトリガＳ２１〜Ｓ２５である。他のステップは第１の実施例と同様な動作をするので、ここではその説明を省略する。
【００３９】
Ｓ２１では、デジタル放送データ取得部１１４が放送信号処理部Ａ１０４あるいは放送信号処理部Ｂ１０５により放送信号からあるチャンネルの情報を取得する。続いてＳ２２において、過去にチャンネル情報を取得しているかを判定する。ここでは、かかる判断を、チャンネルスキャン制御部１１７により情報記憶部１１３にチャンネル情報が存在するか否か（記憶されている否か）を検出することにより行われる。
【００４０】
Ｓ２２において、情報記憶部１３３にチャンネル情報が存在する（記憶されている）と判定された場合はＳ２３へ進み、一方、存在しないと判定された場合はＳ２５へ進んで取得したチャンネル情報を情報記憶部１１３に記憶して処理を終了する。
【００４１】
Ｓ２３では、ＣＰＵ１１４がＳ２１で取得した前記チャンネル情報と情報記憶部１１３に記憶されているチャンネル情報とを比較して両者の異同を判定する。この結果、両者が異なっていると判定された場合はＳ２４へ進み、一方、等しいた判定された場合はＳ２１へ戻る。
【００４２】
上記したように、放送局が開局、閉局、あるいは周波数が変更された場合は、その都度、変更されたＮＩＴ，ＳＤＴが送信される。したがって、受信したチャンネル情報と情報記憶部１１３に記憶してある（過去の）チャンネル情報とを比較することによって、放送局が開局、閉局、あるいは周波数が変更されたことを判別することができる。よって、本実施例では、上記Ｓ２３の判定において受信したチャンネル情報が情報記憶部１１３内に記憶されたチャンネル情報と異なる場合は、新たに放送局が開局、閉局、あるいは周波数が変更と判定し、再スキャンを含むＳ２４及びＳ１６〜Ｓ１８の処理を実行する。
【００４３】
Ｓ２４では、チャンネルスキャン制御部１１７がチューナ管理部１１６からユーザが視聴あるいは録画等に使用していない遊休状態のチューナに関する情報を取得し、遊休状態のチューナの有無とそれがどのチューナであるかを判定する。遊休状態のチューナがあれば、当該遊休状態のチューナを用いてＳ１６にてチャンネルの再スキャンを行う。Ｓ１６以降第１の実施例と同様であり、詳細な説明は省略する。
【００４４】
このように、本実施例によれば、送出スケジュール情報が受信できない場合においても、好適なタイミングで最新のチャンネルリストを取得できる。また、本実施例に係る処理は、デジタル放送受信装置の電源オン状態時に、遊休状態のチューナを使用して再スキャンを行うため、再スキャンを行うことによる消費電力の浪費を削減できる。
【実施例３】
【００４５】
次に、本発明の第３の実施例について説明する。
【００４６】
図４は、第３の実施例に係るデジタル放送受信装置の再スキャンの処理を示すフローチャートである。第１の実施例と異なる部分は、チャンネルの再スキャンを実行するトリガ部分であるＳ３１〜Ｓ３３を有する点である。すなわち、この第３の実施例は、ユーザが事前にチャンネルの再スキャンを行う日（以下、再スキャン実行日時という）を任意に指定し、現在の日時が該最スキャン実行日時を経過し指定日になったことをトリガとして再スキャンを実行することを特徴としている。本実施例においても、第１及び第２の実施例と同様に、再スキャンはデジタル放送受信装置の電源がＯＮ状態のときに行うものとする。
【００４７】
ここで、ユーザが再スキャン実行日時を指定する処理は、図４に示す処理とは別途実施されるものであり、例えば（番組表を用いずに）手動で日時を設定して録画予約を行うのと同じような手法、すなわちメニュー画面に対してリモコンにより所望の日時（月日と時間）を入力することで行われる。かかる入力処理は周知であるため、ここではその詳細な説明は省略する。なお、ユーザが指定した再スキャン実行日時は情報記憶部１１３に記憶するものとする。
【００４８】
まずＳ３１において、ＣＰＵ１１４が、ユーザにより設定された再スキャン実行日時の情報が情報記憶部１１３に存在するか（記憶されているか）を判定する。再スキャン実行日時の情報が存在しないと判定された場合はＳ３１へ戻り、存在していると判定された場合はＳ３２へ進み、ＣＰＵ１１４により情報記憶部１１３から再スキャン実行日時の情報を読み込む。
【００４９】
Ｓ３３では、ＣＰＵ１１４により、情報記憶部１１３から読み込んだ再スキャン実行日時と、例えばＣＰＵ１１４内の図示しないタイマにより計時された現在の日時とを比較し、現在日時が再スキャン実行日時を経過したか否かを判定する。記憶ここで、現在日時が再スキャン実行日時を経過していない場合はＳ３３に戻り、経過した場合は、Ｓ３４に進み、チャンネルスキャン制御部１１７がチューナ管理部１１７からユーザが視聴あるいは録画等に使用していない遊休状態のチューナに関する情報を取得し、遊休状態のチューナの有無とそれがどのチューナであるかを判別する。遊休状態のチューナがあれば、当該遊休状態のチューナを用いてＳ１６にてチャンネルの再スキャンを行う。Ｓ１６以降は実施例１と同様のチャンネルの再スキャンであり、詳細な説明は省略する。
【００５０】
このように、本実施例によれば、ユーザが事前にチャンネルのスキャンを行う日を任意に指定する必要があるが、一度指定した後は、実施例１、２と同等の効果が得られる。上記の例では再スキャンの日時（月日と時間）を指定したが、再スキャンの時刻（例えば２０：００）と間隔（例えば３日おき、７日おき）を指定するようにし、周期的に自動的に再スキャンを行うようにしてもよい。またユーザが設定した時刻にデジタル放送受信装置の電源がＯＦＦの場合は、自動的に電源をＯＮにして再スキャンを行うようにはせず、その設定時刻の後、最初に電源をＯＮしたときに再スキャンを行うようにしてもよい。
【符号の説明】
【００５１】
１００…デジタル放送受信装置
１０１…デジタル放送受信用アンテナ
１０２…チューナＡ
１０３…チューナＢ
１０４…放送信号処理部Ａ
１０５…映像処理部Ａ
１０６…音声処理部Ａ
１０７…放送信号処理部Ｂ
１０８…映像処理部Ｂ
１０９…音声処理部Ｂ
１１０…映像表示部
１１１…音声出力部
１１２…放送記録部
１１３…情報記憶部
１１４…ＣＰＵ
１１５…デジタル放送データ取得部
１１６…チャンネルスキャン制御部
１１７…チューナ管理部
【図１】
2011124816.tif 000003
【図２】
2011124816.tif 000004
【図３】
2011124816.tif 000005
【図４】
2011124816.tif 000006